(57)【特許請求の範囲】
【請求項１】
外壁を水平に貫通するように設けられた貫通孔に嵌合され、その貫通孔にて水平に支持されるように形成された外壁貫通用ソケットであって、
前記貫通孔に嵌合され、前記貫通孔にて水平に支持される円筒状の本体部と、
前記本体部が前記貫通孔に嵌合されたときに前記貫通孔と同心状態で水平に配置されるように前記本体部の屋外側の端部に設けられ、前記本体部の外周面よりも小径の外周面を有する円筒状の水平部と、
屋内側から屋外側にかけて順次下側になる傾斜を有するように前記本体部の内部に設けられると共に、屋外側の端部が前記傾斜と連続して設けられた前記水平部の内周面により構成され、且つ、屋外と屋内とを連通する連通孔部とを備えることを特徴とする外壁貫通用ソケット。
【請求項２】
前記水平部の外周面に前記貫通孔の内周面との間でパテを充填可能なパテ充填部を構成する請求項１に記載の外壁貫通用ソケット。
【請求項３】
前記貫通孔の屋外側の開口部を覆うキャップを前記水平部に嵌合させて取り付ける構成としてある請求項１に記載の外壁貫通用ソケット。
【発明の詳細な説明】
【０００１】
【発明の属する技術分野】
本発明は、電力用ケーブル、テレビのアンテナ線、エアーコンディショナー用の配管、冷暖房用の配管等を、建物の屋外から屋内に引き込む際に、あるいは、屋内から屋外に引き出す際に、外壁に装着されて使用される外壁貫通用ソケットに関する。
【０００２】
【従来の技術】
建物の屋内に、電力用ケーブル、テレビのアンテナ線、エアーコンディショナー用の配管、冷暖房用の配管等を引き込む際、あるいは屋内から屋外に引き出す際には、外壁に貫通孔を設ける必要がある。しかしながら、外壁に貫通孔を設けると、その貫通孔を通って雨水が屋内に浸入するおそれがある。
【０００３】
このような問題を解決するために、例えば、実開平５−４２４１０号公報には、外壁に設けられる貫通孔を、雨水が屋内に浸入しないように、屋外側から屋内側にかけて順次、高くなるように傾斜させる構成が開示されている。このように、外壁に設けられる貫通孔を、屋外側が低く屋内側が高くなるように傾斜させると、貫通孔を通って雨水が屋内に浸入することが防止される。
【０００４】
【発明が解決しようとする課題】
外壁を水平に貫通する貫通孔を形成する場合には、通常、一方の端面に鋸歯が設けられた円筒状のカッターが使用され、外壁の表面に、高速で回転するカッターの鋸歯が押し当てられることによって、外壁に対して水平に貫通孔が形成される。しかし、このようなカッターでは、傾斜状態となった貫通孔を外壁に形成することは容易でないという問題がある。
【０００５】
本発明は、このような問題を解決するものであり、その目的は、電力用ケーブル等を、屋外から屋内に引き込む際に、あるいは、屋内から屋外に引き出す際に、外壁に水平に貫通孔を形成すればよく、しかも、雨水が貫通孔を通して屋内に浸入するおそれのない外壁貫通用ソケットを提供することにある。
【０００６】
【課題を解決するための手段】
本発明の外壁貫通用ソケットは、外壁を水平に貫通するように設けられた貫通孔に嵌合され、その貫通孔にて水平に支持されるように形成された外壁貫通用ソケットであって、前記貫通孔に嵌合され、前記貫通孔にて水平に支持される円筒状の本体部と、前記本体部が前記貫通孔に嵌合されたときに前記貫通孔と同心状態で水平に配置されるように前記本体部の屋外側の端部に設けられ、前記本体部の外周面よりも小径の外周面を有する円筒状の水平部と、屋内側から屋外側にかけて順次下側になる傾斜を有するように前記本体部の内部に設けられると共に、屋外側の端部が前記傾斜と連続して設けられた前記水平部の内周面により構成され、且つ、屋外と屋内とを連通する連通孔部とを備えることを特徴とする。
また、本発明の外壁貫通用ソケットでは、前記水平部の外周面に前記貫通孔の内周面との間でパテを充填可能なパテ充填部を構成するものであってよい。
また、本発明の外壁貫通用ソケットは、前記貫通孔の屋外側の開口部を覆うキャップを前記水平部に嵌合させて取り付ける構成としてあってよい。
【０００７】
【発明の実施の形態】
以下、本発明の実施の形態を、図面に基づいて詳細に説明する。
【０００８】
図１は、本発明の外壁貫通用ソケットの実施の形態の一例を、建物の外壁に取り付けられた状態で示す縦断面図、図２は、その外壁貫通用ソケットの屋内側の側面図、図３は、その外壁貫通用ソケットの屋外側の側面図である。本発明の外壁貫通用ソケット１０は、電力用ケーブル、テレビのアンテナ線、エアーコンディショナー用の配管、冷暖房用の配管等を、建物の外壁２０を通して、屋内から屋外に引き出すために、あるいは屋外から屋内に引き込むために使用される。外壁２０は、例えば、一定の厚さに規格化された気泡コンクリートによって構成されており、外壁２０の適当な位置には、外壁２０を水平に貫通する貫通孔２１が設けられている。外壁貫通用ソケット１０は、外壁２０に水平に設けられた貫通孔２１に嵌合されて使用されるようになっている。
【０００９】
図１〜図３に示すように、外壁貫通用ソケット１０は、外壁２０に水平に設けられた貫通孔２１内に嵌合されて、その貫通孔２１内に支持される円筒状の本体部１１と、建物の屋外側に位置する端部に設けられた薄肉円筒状の水平部１２とを有しており、本体部１１および水平部１２の内部に、屋外と屋内とを連通する連通孔部１０ａが設けられている。
【００１０】
本体部１１の外周面１１ａは、外壁２０に水平に設けられた貫通孔２１における建物の屋外側に位置する端部を除いて、その貫通孔２１の内周面に密着するように水平な直円柱状をしている。本体部１１における建物の内部側に位置する端部には、全周にわたって外方に突出したフランジ部１１ｂが設けられており、このフランジ部１１ｂが、外壁２０の屋内側表面における貫通孔２１の周辺部に圧接されるようになっている。
【００１１】
連通孔部１０ａを構成する本体部１１の内周面１１ｃは、本体部１１の全体にわたって一定の内径になっており、フランジ部１１ｂが設けられた屋内側の端部から建物の屋外側に位置する端部にかけて、順次、低くなるように、下方に向かって傾斜している。
【００１２】
外壁貫通用ソケット１０における建物の外部側に位置する端部に設けられた円筒状の水平部１２は、内径および外周面の外径が全体にわたって一定になっており、本体部１１が外壁２０の貫通孔２１に嵌合された状態では、貫通孔２１とは同心状態で水平に配置されるようになっている。水平部１２の外周面１２ａは、本体部１１の外周面１１ａよりも小径になっている。水平部１２の外周面と本体部１１の外周面１１ａとの間には、全周にわたって垂直な端面部１３が介在されている。連通孔部１０ａを構成する水平部１２の内周面１２ｂは、本体部１１における傾斜状態になった内周面１１ｃの下側の端部に連続している。
【００１３】
このような構成の外壁貫通用ソケット１０は、外壁２０における所定位置に、例えば、一方の端面に鋸歯が設けられた円筒状のカッターによって、貫通孔２１が水平に設けられると、その貫通孔２１内に嵌合される。なお、外壁２０の貫通孔２１は、外壁２０の製作に際して、予め形成するようにしてもよい。
【００１４】
外壁貫通用ソケット１０は、貫通孔２１における屋内側の端部から、円筒状をした水平部１２が貫通孔２１内に挿入され、本体部１１のフランジ部１１ｂが、外壁２０の屋内側表面における貫通孔２１の周辺部に圧接される。これにより、外壁貫通用ソケット１０における水平部１２は、貫通孔２１と同心状態になるとともに、水平部１２の先端面が、外壁２０における屋外側表面と面一な状態になる。
【００１５】
このような状態になると、外壁貫通用ソケット１０における水平部１２の外周面と、外壁２０に設けられた貫通孔２１の内周面との間に、パテ２２が充填されて、貫通孔２１の屋外側の端部と外壁貫通用ソケット１０の水平部１２との間が防水処理される。
【００１６】
その後、電力用ケーブル、テレビのアンテナ線、エアーコンディショナー用の配管、冷暖房用の配管等が、外壁貫通用ソケット１０における屋外と屋内とを連通する連通孔部１０ａ内を挿通され、電力用ケーブル等が、屋外から屋内に引き込まれた状態、あるいは、屋内から屋外に引き出された状態とされる。
【００１７】
外壁貫通用ソケット１０における連通孔部１０ａを構成する本体部１１の内周面１１ｃは、屋外側が下側になるように傾斜した状態になっているために、雨水が連通孔部１０ａを通って屋内に浸入するおそれがない。また、外壁貫通用ソケット１０における屋外側の端部には、貫通孔２１とは同心状態になった円筒状の水平部１２が設けられており、この水平部１２と貫通孔２１との間にパテが充填されて防水処理されているために、外壁を水平に貫通する貫通孔２１を通って雨水が屋内に浸入するおそれもない。
【００１８】
このように、気泡コンクリート製の外壁２０のように、厚さが一定になっている場合には、外壁貫通用ソケット１０における屋外側の端部に、水平部１２を予め設けておくことにより、外壁２０の貫通孔２１における屋外側の端部内に、一定の厚さのパテ充填部が形成されることになる。従って、貫通孔２１に対する防水処理を、容易にかつ確実にすることができる。また、このように、屋外側の端部に水平状態となる水平部１２を予め設けておくことによって、外壁貫通用ソケット１０内に設けられた連通孔部１０ａにおける屋外側の開口部を覆うキャップを、この水平部１２に嵌合させて、容易に取り付けることができる。
【００１９】
なお、外壁貫通用ソケット１０が設けられる外壁としては、気泡コンクリート製に限らず、現場にて構築されるコンクリート壁、外壁パネル等のように、厚さが規格化されているものであってもよい。また、厚さが規格化されていないような外壁の場合には、その外壁の厚さに応じた寸法で製造される。
【００２０】
図４は、本発明の外壁貫通用ソケットの実施の形態の他の例を、外壁に設けられた貫通孔に取り付けられた状態で示す縦断面図、図５は、その外壁貫通用ソケットの屋内側からの側面図、図６は、その外壁貫通用ソケットの屋外側からの側面図、図７は、図４のＡ−Ａ線における断面図である。
【００２１】
図４〜図７に示すよう、外壁貫通用ソケット１０は、外壁２０に水平に設けられた貫通孔２１内にて水平に配置される円筒状の本体部１５と、この本体部１５とは上部周面が一体に構成された円筒状の内筒１６とを有している。そして、内筒１６の内部が、屋外と屋内とを連通する連通孔部１０ａになっている。
【００２２】
内筒１６は、屋内側から屋外側にかけて順次低くなるように傾斜した傾斜部１６ａと、その傾斜部１６ａにおける屋外側に位置する端部に連続して設けられた水平部１６ｂとを有しており、傾斜部１６ａおよび水平部１６ｂ内が、連通孔部１０ａになっている。傾斜部１６ａは、全体にわたって等しい内径および外径になっており、従って、傾斜部１６ａの内周面は、全体にわたって傾斜している。傾斜部１６ａにおける屋内側に位置する端面は垂直になっている。
【００２３】
また、水平部１６ｂも全体にわたって等しい内径および外径になっており、屋外側に位置する端面は垂直になっている。
【００２４】
内筒１６における水平部１６ｂと傾斜部１６ａとの境界部分には、全周にわたって外方に垂直に突出したフランジ部１６ｃが設けられている。このフランジ部１６ｃの外径は、外壁２０に形成された貫通孔２１の内径とほぼ等しくなっており、フランジ部１６ｃの外周面が、貫通孔２１の内周面に接するようになっている。
【００２５】
内筒１６における傾斜部１６ａには、上部周面同士が一体となった本体部１５が、偏心状態で嵌合されている。本体部１５の下部周面は、外壁２０に水平に設けられた貫通孔２１の下部周面に内接するようになっており、従って、本体部１５の下部周面が、外壁２０の水平な貫通孔２１の下部周面によって水平に支持される。
【００２６】
本体部１５における屋内側の端部には、全周にわたって外方に突出する垂直なフランジ部１５ａが設けられている。このフランジ部１５ａは、外壁２０の屋内側の表面における貫通孔２１の周辺部に圧接されるようになっている。本体部１５のフランジ部１５ａが、外壁２０における屋内側の表面に圧接された状態になると、内筒１６の水平部１６ｂにおける屋外側に位置する垂直な端面は、外壁２０の屋外側の表面と面一になる。
【００２７】
本体部１５における屋外側の端面には、上部周面を除いて、内筒１６外周面との間に間隙が形成されているが、その間隙は、内筒１６における傾斜部１６ａと水平部１６ｂとの間に設けられたフランジ部１６ｃによって閉塞されている。
【００２８】
このような構成の外壁貫通用ソケット１０も、外壁２０における所定位置に、貫通孔２１が水平に設けられると、その貫通孔２１内に嵌合される。外壁貫通用ソケット１０は、貫通孔２１における屋内側の端面から、内筒１６における水平部１６ｂが貫通孔２１内に挿入され、本体部１５のフランジ部１５ａが、外壁２０の屋内側表面における貫通孔２１の周辺部に圧接される。これにより、外壁貫通用ソケット１０における内筒１６の水平部１６ｂは、貫通孔２１と同心状態になるとともに、水平部１２の先端面が、外壁２０における屋外側表面と面一になる。
【００２９】
このような状態になると、内筒１６における水平部１６ｂの外周面と、外壁２０に設けられた貫通孔２１の内周面との間に、パテ２２が充填されて、貫通孔２１の屋外側の端部と外壁貫通用ソケット１０における内筒１６の水平部１６ｂとの間が防水処理される。
【００３０】
その後、電力用ケーブル、テレビのアンテナ線、エアーコンディショナー用の配管、冷暖房用の配管等が、外壁貫通用ソケット１０の連通孔部１０ａ内に挿通され、電力用ケーブル等が屋外から屋内に引き込まれた状態、あるいは、屋内から屋外に引き出された状態とされる。
【００３１】
外壁貫通用ソケット１０における連通孔部１０ａを構成する内筒１６の傾斜部１６ａは、屋内側から屋外側にかけて順次低くなるように傾斜した状態になっているために、雨水が外壁貫通用ソケット１０の連通孔部１０ａを通って屋内に浸入するおそれがない。また、外壁貫通用ソケット１０における屋外側の端部には、貫通孔２１とは同心状態になった円筒状の水平部１６ｂが設けられており、この水平部１６ｂと貫通孔２１との間にパテが充填されて防水処理されているために、外壁２０を水平に貫通する貫通孔２１を通って雨水が屋内に浸入するおそれもない。
【００３２】
なお、外壁貫通用ソケット１０における屋外側の端部は、内筒１６の水平部１６ｂが設けられているために、この水平部１６ｂに、連通孔部１０ａの屋外側の開口部を覆うキャップを嵌合させることができる。
【００３３】
【発明の効果】
本発明の外壁貫通用ソケットは、このように、外壁に水平に形成された貫通孔内に嵌合されて支持されるとともに、電力用ケーブル等が挿通されるように屋内と屋外を連通する連通孔部が、屋内側から屋外側にかけて、順次、低くなるように傾斜しているために、従来から使用されているカッターによって、外壁に対して貫通孔を傾斜状態ではなく、水平に容易に形成することができる。しかも、雨水が屋内に浸入するおそれもない。
また、外壁貫通用ソケットにおける屋外側の端部には、貫通孔とは同心状態になった円筒状の水平部が設けられており、この水平部の外周面と貫通孔の内周面との間には、パテを充填して防水処理を施すことができるので、外壁を水平に貫通する貫通孔を通って雨水が屋内に浸入するのを確実に防止することができる。
【図面の簡単な説明】
【図１】本発明の外壁貫通用ソケットの実施の形態の一例を、建物の外壁に取り付けられた状態で示す縦断面図である。
【図２】その外壁貫通用ソケットの屋内側の側面図である。
【図３】その外壁貫通用ソケットの屋外側の側面図である。
【図４】本発明の外壁貫通用ソケットの実施の形態の他の例を、建物の外壁に取り付けられた状態で示す縦断面図である。
【図５】その外壁貫通用ソケットの屋内側の側面図である。
【図６】その外壁貫通用ソケットの屋外側の側面図である。
【図７】図４のＡ−Ａ線における断面図である。
【符号の説明】
１０  外壁貫通用ソケット
１０ａ  連通孔部
１１  本体部
１１ａ  外周面
１１ｂ  フランジ部
１１ｃ  内周面
１２  水平部
１２ａ  外周面
１２ｂ  内周面
１３  端面部
１５  本体部
１５ａ  フランジ部
１６  内筒部
１６ａ  傾斜部
１６ｂ  水平部
１６ｃ  フランジ部
２０  外壁
２１  貫通孔
２２  パテ
【図１】
0004220005.tif 000002
【図２】
0004220005.tif 000003
【図３】
0004220005.tif 000004
【図４】
0004220005.tif 000005
【図５】
0004220005.tif 000006
【図６】
0004220005.tif 000007
【図７】
0004220005.tif 000008